(57)【特許請求の範囲】
【請求項１】
フィードローラと、該フィードローラに圧接され、軸に設けたトルクリミッタで一定以上のトルクを受けたときに回転するよう構成したリタードローラとからなり、重送された原稿や記録紙などのシートを分離するようにしたシート重送防止装置において、
前記リタードローラの軸を脱着自在で回転しないよう保持すると共にフィードローラ側に押圧する機構を有し、保持したリタードローラをフィードローラに圧接するよう構成したローラホルダーを前記フィードローラに対向して設け、該ローラホルダーの両側には給紙カセットの記録紙搬送路の中央付近に設けられた窪み部に設けられた軸と着脱自在に結合して前記リタードローラを前記フィードローラに圧接する際の回転支点を形成するＵ形状の軸受け部を備えたことを特徴とするシート重送防止装置。
【請求項２】
前記ローラホルダーの一部がシートの搬送ガイドを兼用していることを特徴とする請求項１に記載したシート重送防止装置。
【請求項３】
前記ローラホルダーは、リタードローラの軸をスナップフィットで保持することを特徴とする請求項１に記載したシート重送防止装置。
【発明の詳細な説明】
【０００１】
【発明の属する技術分野】
本発明は、複写機やプリンタ、ＦＡＸなどにおける給紙カセットや自動原稿送り装置などに用いられる、原稿や記録紙などのシート材の重送防止装置に関するものである。
【０００２】
【従来の技術】
電子写真方式を用いた複写機やプリンタ、ＦＡＸなどにおいては、特開平１０−２０３６８３号公報や特開２０００−１７７８７４号公報に詳細に述べられているように、複数枚重ねられた原稿の自動送り出し部から送り出される原稿や、給紙カセットから自動給紙されて複写位置に送られる記録紙の重送を防止するため、トルクリミッタを有したリタードローラを原稿や記録紙のフィードローラに圧接すると共に、このフィードローラの駆動軸などからリタードローラに逆転駆動力を伝え、これら原稿や記録紙などのシートが一枚だけ送られてきた場合は、リタードローラがトルクリミッタに抗してフィードローラに追従して回転するようにし、複数枚重送されてきたときは、原稿や記録紙などのシート同志の滑りによってトルクリミッタが働き、リタードローラが逆転して重送されてきたシートを分離するようにした重送防止装置が用いられている。
【０００３】
【発明が解決しようとする課題】
しかしながら、この特開平１０−２０３６８３号公報や特開２０００−１７７８７４号公報に示された従来の重送防止装置は、リタードローラの軸に他の駆動軸から駆動力を伝える機構などが複雑に組み合わされ、構造が複雑になると共にコスト高であり、また簡単に取り外しができなくてメンテナンス性が悪かった。
【０００４】
そのため本発明においては、構造が簡単でメンテナンスや部品交換が容易であり、かつ、低コストで構成できるリタードローラ分離機構を提供することが課題である。
【０００５】
【課題を解決するための手段】
上記課題を解決するため本発明においては、従来行われていたリタードローラの逆転駆動力伝達をやめ、原稿や記録紙などのシートが一枚だけ送られてきたときはリタードローラがトルクリミッタに抗してフィードローラに追従して回転し、原稿や記録紙が複数送られてきたときはシート同志の滑りによってトルクリミッタが働き、リタードローラが回転を停止して重送されてきたシートを分離できるようにした。
【０００６】
そしてさらに本発明においては、リタードローラを保持するローラホルダーをフィードローラに対向して設け、かつ、リタードローラの軸をこのローラホルダーに脱着自在で回転しないよう保持できるようにすると共に、ローラホルダー自身をフィードローラ側に押圧する機構を設けてリタードローラをフィードローラに圧接するようにし、リタードローラを単独でフィードローラに圧接する機構やリタードローラの駆動力伝達機構を不要とし、簡単な構造でメンテナンスのしやすいシート重送防止装置を提供することを可能とした。
【０００７】
そのため本発明のシート重送防止装置は、請求項１に記載したように、
フィードローラと、該フィードローラに圧接され、軸に設けたトルクリミッタで一定以上のトルクを受けたときに回転するよう構成したリタードローラとからなり、重送された原稿や記録紙などのシートを分離するようにしたシート重送防止装置において、
前記リタードローラの軸を脱着自在で回転しないよう保持すると共にフィードローラ側に押圧する機構を有し、保持したリタードローラをフィードローラに圧接するよう構成したローラホルダーを前記フィードローラに対向して設け、該ローラホルダーの両側には給紙カセットの記録紙搬送路の中央付近に設けられた窪み部に設けられた軸と着脱自在に結合して前記リタードローラを前記フィードローラに圧接する際の回転支点を形成するＵ形状の軸受け部を備えたことを特徴とする。
【０００８】
このようにシート重送防止装置を構成することにより、リタードローラを単独でフィードローラに圧接する機構やリタードローラの駆動力伝達機構が不要となり、構造が簡単で、かつ、リタードローラがローラホルダーから脱着自在に構成されているからメンテナンスや部品交換が容易になる。従って、低コストで、メンテナンスのしやすいシート重送防止装置を提供することが可能となる。
【０００９】
そしてローラホルダーは請求項２に記載したように、
前記ローラホルダーの一部がシートの搬送ガイドを兼用していることを特徴とする。
【００１０】
このようにすることで、特別なシート搬送ガイドを設ける必要が無くなり、給紙カセットや原稿自動送り装置の部品数の低減が可能となり、低コストで構成することができる。
【００１１】
さらにローラホルダーのリタードローラの軸を保持する機構は、請求項３に記載したように、
前記ローラホルダーは、リタードローラの軸をスナップフィットで保持することを特徴とする。
【００１２】
このようにすることで、リタードローラは容易にローラホルダーから脱着可能となり、メンテナンス性が向上する。
【００１３】
【発明の実施の形態】
以下、図面に基づいて本発明の実施の形態を例示的に詳しく説明する。但し、この実施の形態に記載されている構成部品の寸法、材質、形状、その相対配置などは、特に特定的な記載がない限りはこの発明の範囲をそれのみに限定する趣旨ではなく、単なる説明例に過ぎない。
【００１４】
図１は、本発明を記録紙の給紙カセットの送出部分に適用した実施の形態を示した概略図であり、図２はリタードローラの構成を示した図、図３はリタードローラを保持するローラホルダーの構成を示した図、図４は給紙カセットにローラホルダーを装着した斜視図である。
【００１５】
図中１はリタードローラ、２はこのリタードローラ１を保持するローラホルダー、３は複写機やプリンタ、ＦＡＸなどの本体側に設けられた記録紙などのシート（以下単に記録紙と略称する）の搬送ユニットを構成するフィードローラ、４は同じく搬送ユニットの一部を構成し、給紙カセット７の記録紙載置台８に載置された記録紙５をフィードローラ３側に送り出すピックアップローラ、５は記録紙、６はローラホルダー２をフィードローラ３側に押圧するためのスプリング、７は給紙カセット、８は記録紙載置台である。
【００１６】
このように構成したシート重送防止装置において、リタードローラ１は、図２に示したように、軸２０の左右にローラホルダー２にスナップフィットさせるための切り欠き部２１、２２を有した固定部２３、２４が設けられ、その軸２０にトルクリミッタ２５、更にそのトルクリミッタ２５の延長部分にＥＰＤＭなどを原料としたゴムを圧入したゴムローラ部２６とがはめ込まれて構成されている。そして、ゴムローラ部２６にトルクリミッタ２５が発生するトルク値以上のトルクがかかった場合、矢印２７方向に回転することができるようにされている。
【００１７】
ローラホルダー２は、図３に示したように、リタードローラ１の図２に２３、２４で示した固定部を受けて固定するスナップフィット部３０、３１、及びこのローラホルダー２がスプリング６の押圧力を受けたときの回転の支点となる軸受け部３３、３４を両側に持ち、これらスナップフィット部３０、３１、軸受け部３３、３４を結ぶと共に記録紙５をガイドする役目を持つ搬送ガイド部３２、及び中央下部に設けられた図１に６で示したスプリングの押圧力を受けるスプリング受け３５などで構成される。
【００１８】
図４は、この図３に示したローラホルダー２を給紙カセット７に装着すると共に、給紙カセット７を複写機やプリンタ、ＦＡＸなどの本体側から引き出して示した斜視図であり、ローラホルダー２は、図のように給紙カセット７の記録紙搬送路４０の中央付近に設けられた窪み部４１に、軸受け部３３、３４を図示していない軸と結合させ、さらに図１に示したように、スプリング受け３５にスプリング６を当接させて収容する。そしてリタードローラ１は、図２に２３、２４で示した固定部をこのローラホルダー２のスナップフィット部３０、３１に嵌挿して固定する。記録紙５は、この図４には図示していない図１の記録紙載置台８に載置され、一番上の記録紙が搬送ユニットのピックアップローラ４（図１）でピックアップできる位置となるよう下から押し上げられている。
【００１９】
このように構成したシート重送防止装置において、ローラホルダー２は、前記図４で説明したように軸受け部３３、３４を図示していない軸と結合させ、さらに図１に示したように、スプリング受け３５にスプリング６を当接させて給紙カセット７の窪み部４１に収容する。そしてリタードローラ１は、図２に２３、２４で示した固定部をローラホルダー２のスナップフィット部３０、３１に嵌挿し、このローラホルダー２にはめ込む。そして図１における記録紙載置台８に記録紙を載置し、この給紙カセット７を複写機やプリンタ、ＦＡＸなどの本体に挿入すると、フィードローラ３、ピックアップローラ４などを有した搬送ユニットが図１に示したように給紙カセット７の上に位置し、ローラホルダー２はスプリング６の押圧力により、軸受け部３３、３４を支点として収容したリタードローラ１をフィードローラ３に圧接する。そして、給紙カセット７の記録紙載置台８が上昇し、この記録紙載置台８上の記録紙５がピックアップローラ４に接する位置まで来ると、記録紙搬送の準備が完了する。
【００２０】
この状態で記録紙搬送の指示が来ると、まず図１におけるピックアップローラ４が記録紙載置台８の最上部にある記録紙５をピックアップし、フィードローラ３とリタードローラ１のニップ方向に送り出す。このとき記録紙５の先端が垂れ下がっても、ローラホルダー２の搬送ガイド部分３２に先端が当たることで、記録紙５はフィードローラ３とリタードローラ１のニップ方向に送られる。
【００２１】
リタードローラ１は、記録紙がフィードローラ３とリタードローラ１のニップ部に至っていないときは、圧接しているフィードローラ３から伝達される駆動力が図２におけるトルクリミッタ２５のトルクを上回るので、フィードローラ３に追従して回転している。そして、このフィードローラ３とリタードローラ１のニップ部に記録紙５が送り込まれると、記録紙５はそのままニップ部でフィードローラ３からの駆動力を受けて進行するが、記録紙５が一枚だけの場合はリタードローラ１も記録紙５を通してフィードローラ３の駆動力を受け、前記したようにこの駆動力がトルクリミッタ２５のトルクを上回るので、フィードローラ３に追従して回転する。そのため記録紙５は、図示していない画像の転写位置方向に送り出される。
【００２２】
いま、ピックアップローラ４で記録紙５が複数枚ピックアップされ、フィードローラ３とリタードローラ１のニップ部に重送されてくると、記録紙５間の摩擦抵抗は比較的低いため、最上部の記録紙５はフィードローラ３で送られるが、重送されてきた記録紙５間の滑りでリタードローラ１へはトルクリミッタ２５のトルクに抗するだけの駆動力が伝達されず、このリタードローラ１の回転が停止する。そのため最上部の記録紙５以外の重送された記録紙５は、このリタードローラ１のニップ部で搬送を止められ、図示していない画像の転写位置方向への送出が阻まれる。
【００２３】
そのため、フィードローラ３とリタードローラ１のニップ部に重送されてきた記録紙５は、一枚だけが図示していない画像の転写位置方向に送り出され、他の記録紙５は分離されてここで停止する。すなわち、リタードローラ１に従来のような逆転駆動力を加えずとも、重送されてきた記録紙５の重送を停止することができ、そのため、リタードローラ１への駆動力伝達機構が不要となる。
【００２４】
また前記したようにリタードローラ１は、ローラホルダー２のスナップフィット部３０、３１に挿入されて固定されているだけであり、給紙カセット７を本体から引き出して、フィードローラ３やピックアップローラ４を有する搬送ユニットが無い図４のような状態では、駆動力伝達機構などの取り外しを邪魔するものがないから、手で簡単に取り外すことが可能であり、メンテナンス性も非常によくなる。
【００２５】
なお、以上の説明では、本発明を記録紙の給紙カセットの送出部分に適用した場合を説明してきたが、複数枚積み重ねた原稿を順次原稿台に送り出す送出部分にもこういったリタードローラを用いた重送防止装置が用いられており、この場合も全く同様に構成できることは明らかである。
【００２６】
【発明の効果】
以上種々述べてきたように本発明の請求項１に記載した発明によれば、リタードローラの軸を脱着自在で回転しないよう保持すると共にフィードローラ側に押圧する機構を有し、保持したリタードローラをフィードローラに圧接するよう構成したローラホルダーを前記フィードローラに対向して設け、該ローラホルダーの両側には給紙カセットの記録紙搬送路の中央付近に設けられた窪み部に設けられた軸と着脱自在に結合して前記リタードローラを前記フィードローラに圧接する際の回転支点を形成するＵ形状の軸受け部を備えたことにより、リタードローラを単独でフィードローラに圧接する機構やリタードローラの駆動力伝達機構が不要となり、構造が簡単で、かつ、リタードローラがローラホルダーから脱着自在に構成されているからメンテナンスや部品交換が容易になり、低コストで、メンテナンスのしやすいシート重送防止装置を提供することが可能となる。
【００２７】
そして請求項２に記載した発明によれば、ローラホルダーの一部がシートの搬送ガイドを兼用しているから、特別なシート搬送ガイドを設ける必要が無くなり、給紙カセットや原稿自動送り装置の部品数の低減が可能となって、低コストのシート重送防止装置を提供することができる。
【００２８】
そして請求項３に記載した発明によれば、ローラホルダーは、リタードローラの軸をスナップフィットで保持するようにしたから、リタードローラは容易にローラホルダーから脱着可能となり、メンテナンス性が向上する。
【図面の簡単な説明】
【図１】  本発明の実施の形態に係る要部構成を示す概略図である。
【図２】  リタードローラの構成を示した図である。
【図３】  リタードローラを保持する本発明のローラホルダーの構成を示した図である。
【図４】  給紙カセットに本発明のローラホルダーを装着した斜視図である。
【符号の説明】
１    リタードローラ
２    ローラホルダー
３    フィードローラ
４    ピックアップローラ
５    記録紙
６    スプリング
７    給紙カセット
８    記録紙載置台
２０    軸
２１、２２    軸の切り欠き部
２３、２４    固定部
２５    トルクリミッタ
２６    ゴムローラ部
２７    リタードローラの回転方向
３０、３１    スナップフィット部
３２    搬送ガイド部
３３、３４    軸受け部
３５    スプリング受け
【図１】
0003928917.tif 000002
【図２】
0003928917.tif 000003
【図３】
0003928917.tif 000004
【図４】
0003928917.tif 000005